(57)【要約】【課題】光学式認識コードを帳票に印字しない場合であっても、同じ封筒に封入する帳票を検査できるシステムを提供する。【解決手段】帳票検査装置２の帳票検査部２０は，帳票番号の画像が光学式読取装置３から出力されると，光学式読取装置３から出力された帳票番号の画像を保持する処理と，同じ封筒に封入する全ての帳票６について帳票番号の撮影が完了したことが示されると，帳票番号の画像全てを文字認識し，同じ封筒に封入する全ての帳票６において帳票番号の通数連番が一致するか確認する照合検査を少なくとも実行する処理と，帳票検査処理が終了すると，照合検査の結果を関連付けた状態で，帳票番号の画像をデータ記憶装置５の検査履歴ＤＢ５０に記憶させる処理を実行する。【選択図】図２
2016004365.tif 000002
【特許請求の範囲】
【請求項１】
帳票を撮影するためのカメラ装置と，同じ封筒に封入する帳票を検査する帳票検査装置と，帳票の検査履歴を記憶させる検査履歴データベースを備えたデータ記憶装置とから少なくとも構成され，
前記帳票検査装置は，画像に含まれる文字を文字認識する文字認識部と，同じ封筒に封入する帳票を検査する帳票検査部を備え，前記帳票検査部は，通数連番と枝番で少なくとも構成される帳票番号をユーザが撮影した画像が前記カメラ装置から出力されると，前記カメラ装置から出力された帳票番号の画像をメモリに保持する画像取得処理と，同じ封筒に封入する全ての帳票について帳票番号の撮影が完了したことが示されると，メモリに保持している帳票番号の画像全てを前記文字認識部に文字認識させ，同じ封筒に封入する全ての帳票において帳票番号の通数連番が一致するか確認する照合検査を少なくとも実行する帳票検査処理と，前記帳票検査処理が終了すると，前記照合検査の結果を関連付けた状態で，メモリに保持している帳票番号の画像を前記データ記憶装置の前記検査履歴データベースに記憶させる履歴記憶処理を実行する，
ことを特徴とする帳票検査システム。
【請求項２】
重量を測定する計量装置を含み，前記データ記憶装置は，通数連番に関連づけて，帳票を封入した封筒の重量の期待値を予め登録した重量データベースを備え，前記帳票検査装置の前記帳票検査部は，前記帳票検査処理において，帳票を封入した封筒の重量の測定をユーザに指示し，帳票を封入した封筒の重量の測定値を計量装置から取得すると，文字認識で得られた帳票番号の通数連番に関連付けられた封筒の重量の期待値を前記データ記憶装置の前記重量データベースから取得し，帳票を封入した封筒の重量の測定値と期待値を照合する重量検査を照合検査後に実行し，前記履歴記憶処理において，帳票の検査履歴として，照合検査と重量検査の結果を関連付けた状態で帳票番号の画像を前記データ記憶装置の前記検査履歴データベースに記憶させる，
ことを特徴とする，請求項１に記載した帳票検査システム。
【請求項３】
画像の撮影機能を有する光学式読取装置を前記カメラ装置として用いた，
ことを特徴とする，請求項１または２に記載した帳票検査システム。
【発明の詳細な説明】
【技術分野】
【０００１】
本発明は，同じ封筒に封入する帳票を検査する発明で，更に詳しくは，１次元バーコード，２次元バーコードまたはＯＣＲ文字など光学式認識コードを印字しない帳票であっても，同じ封筒に封入する帳票を検査できるようにした発明である。
【背景技術】
【０００２】
複数の帳票を名寄せして封筒に封入するとき、同じ封筒に封入する帳票の欠落または過剰を検査することが必要になる。帳票類を管理する際、例えば、特許文献１のように、帳票番号等をエンコードした光学式認識コード（例えば、バーコード）を帳票に印字して、帳票を検査するのが一般的である。
【０００３】
また、同じ封筒に帳票以外の同封物（例えば，金券）を封入する際は、例えば、特許文献２のように、帳票，帳票以外の同封物および封筒の重量を予めデータベースに登録しておき，帳票に印字された光学式認識コードを利用してこの封筒の重量の期待値を求め，帳票等を封入した封筒の重量の期待値と実際に測定した測定値を比較することで，同じ封筒に封入した帳票等の欠落または過剰を検査する重量検査を実施する。
【先行技術文献】
【特許文献】
【０００４】
【特許文献１】特開２００１−２４３３９９号公報
【特許文献２】特開２００５−１２２５４５号公報
【発明の概要】
【発明が解決しようとする課題】
【０００５】
しかし、従来の技術は，同じ封筒に封入する帳票を検査する際，光学的に自動読み取り可能な光学式認識コードを帳票に印字していることを前提としており、デザインを重視するなどの理由で光学式認識コードを帳票に印刷できない場合、従来の技術では，同じ封筒に封入する帳票を検査できなかった。
【０００６】
そこで，本発明は，光学式認識コードを帳票に印字しない場合であっても、同じ封筒に封入する帳票を検査できるシステムを提供することを目的とする。
【課題を解決するための手段】
【０００７】
上述した課題を解決する第１の発明は，帳票を撮影するためのカメラ装置と，同じ封筒に封入する帳票を検査する帳票検査装置と，帳票の検査履歴を記憶させる検査履歴データベースを備えたデータ記憶装置とから少なくとも構成され，前記帳票検査装置は，画像に含まれる文字を文字認識する文字認識部と，同じ封筒に封入する帳票を検査する帳票検査部を備え，前記帳票検査部は，通数連番と枝番で少なくとも構成される帳票番号をユーザが撮影した画像が前記カメラ装置から出力されると，前記カメラ装置から出力された帳票番号の画像をメモリに保持する画像取得処理と，同じ封筒に封入する全ての帳票について帳票番号の撮影が完了したことが示されると，メモリに保持している帳票番号の画像全てを前記文字認識部に文字認識させ，同じ封筒に封入する全ての帳票において帳票番号の通数連番が一致するか確認する照合検査を少なくとも実行する帳票検査処理と，前記帳票検査処理が終了すると，前記照合検査の結果を関連付けた状態で，メモリに保持している帳票番号の画像を前記データ記憶装置の前記検査履歴データベースに記憶させる履歴記憶処理を実行する。
【０００８】
第１の発明に記載の帳票検査システムによれば，前記帳票検査装置は，前記カメラ装置から出力された帳票番号の画像を文字認識することで帳票番号を取得して帳票の照合検査を実行するように構成されるため，光学式認識コードを帳票に印字しない帳票の場合であっても、同じ封筒に封入する帳票の照合検査を実施できる。また，帳票の検査履歴に，帳票番号の画像を含ませることで，光学式認識コードを帳票に印字しない帳票の場合であっても、実際に帳票に印字されていた帳票番号の履歴を残すことができる。
【０００９】
更に，第２の発明は，第１の発明に記載した帳票検査システムにおいて，重量を測定する計量装置を含ませ，前記データ記憶装置は，通数連番に関連づけて，帳票を封入した封筒の重量の期待値を予め登録した重量データベースを備え，前記帳票検査装置の前記帳票検査部は，前記帳票検査処理において，帳票を封入した封筒の重量の測定をユーザに指示し，帳票を封入した封筒の重量の測定値を計量装置から取得すると，文字認識で得られた帳票番号の通数連番に関連付けられた封筒の重量の期待値を前記データ記憶装置の前記重量データベースから取得し，帳票を封入した封筒の重量の測定値と期待値を照合する重量検査を照合検査後に実行し，前記履歴記憶処理において，帳票の検査履歴として，照合検査と重量検査の結果を関連付けた状態で帳票番号の画像を前記データ記憶装置の前記検査履歴データベースに記憶させることを特徴とする。
【００１０】
第２の発明に記載の帳票検査システムによれば，光学式認識コードを帳票に印字しない場合であっても、同じ封筒に封入する帳票の照合検査に加え重量検査を実施できる。
【００１１】
更に，第３の発明は，第１の発明または第２の発明に記載した帳票検査システムにおいて，画像の撮影機能を有する光学式読取装置を前記カメラ装置として用いたことを特徴とする。
【００１２】
第３の発明に記載の帳票検査システムによれば，光学式認識コードを利用して帳票を検査する従来のシステムと本発明に係る帳票検査システムを，一つのシステムに統合できるようになる。
【発明の効果】
【００１３】
このように，上述した本発明によれば，光学式認識コードを帳票に印字しない帳票の場合であっても、同じ封筒に封入する帳票を検査できるシステムを提供できる。
【図面の簡単な説明】
【００１４】
【図１】帳票検査システムの構成を説明する図。
【図２】帳票検査システムのブロック図。
【図３】帳票を説明する図。
【図４】同じ封筒に封入する帳票の検査手順を説明する図。
【図５】帳票検査装置の画面を説明する図。
【発明を実施するための形態】
【００１５】
ここから，本発明の好適な実施形態を記載する。なお，以下の記載は本発明の範囲を束縛するものでなく，理解を助けるために記述するものである。
【００１６】
図１は，帳票検査システム１の構成を説明する図，図２は，帳票検査システム１のブロック図，図３は，帳票６を説明する図，図４は，同じ封筒に封入する帳票６の検査手順を説明する図，図５は，帳票検査装置２の画面を説明する図である。
【００１７】
図１に図示したように，本実施形態に係る帳票検査システム１は，帳票６に印刷された帳票番号を撮影するカメラ装置として利用する光学式読取装置３と，帳票６を封入した封筒６ａの重量を測定する計量装置４と，光学式読取装置３および計量装置４の出力を利用して，帳票６を検査する帳票検査装置２と，光学式読取装置３が撮影した帳票番号の画像等を記憶させるデータ記憶装置５とから少なくとも構成される。
【００１８】
本実施形態では，光学式認識コードを利用して帳票を検査する従来のシステムと本実施形態に係る帳票検査システム１を，一つのシステムに統合できるように，帳票６に印刷された帳票番号を撮影するカメラ装置を，画像の撮影機能を有する光学式読取装置３としている。光学式読取装置３と接続している光学式読取装置３は，光学式認識コードの自動認識の機能に加え，画像の撮影機能を有する装置で， 図２に図示したように，対象物の画像を撮影する画像撮影部３１と，光学式読取装置３を制御する制御部３０を備える。
【００１９】
光学式読取装置３の画像撮影部３１は，照明部品（ＬＥＤ光源など），光学部品（光学レンズなど），イメージセンサ（ＣＣＤセンサなど）などから構成される。また，光学式読取装置３の制御部３０は，プロセッサとメモリなどから構成される。光学式読取装置３の制御部３０は，様々な動作モードに対応し，例えば，自動認識モードで動作する際，光学式読取装置３の制御部３０は，画像撮影部３１が撮影した画像を画像分析して，光学式認識コードを含む画像であるか判定し，光学式認識コードを含む画像の場合は，画像撮影部３１が撮影した画像に含まれる光学式認識コードをデコードしたデータを出力する。また，光学式読取装置３の制御部３０は，画像撮影モードで動作する際，画像撮影部３１が撮影した画像を出力する。
【００２０】
なお，このような光学式読取装置３としては，ハネウェル社（旧ハンド・ヘルド・プロダクツ社）のバーコードスキャナを利用でき，このバーコードスキャナは，光学式認識コードとして，１次元バーコード，２次元バーコード，ポスタルコードおよびＯＣＲ（Optical Character Reader）文字（例えば，ＯＣＲ＿Ａ）に対応している。
【００２１】
図３に図示しているように，本実施形態に係る帳票６の右上隅には，光学式読取装置３が対応していないフォントを用いて，帳票６の管理に用いる帳票番号が印字され，帳票６の画像を撮影する際，光学式読取装置３の画像撮影部３１の撮影範囲は，帳票６に印字された帳票番号を含むようにユーザによって設定される。本実施形態に係る帳票番号は，同じ封筒に同封する帳票６毎に固有な通数連番（図３では，「000001」）と，同じ封筒に同封する帳票６それぞれを識別する枝番（図３では，「1/3」）とから構成されている。本実施形態において，枝番のフォーマットは順番／総数とし，例えば，一つの封筒に同封する帳票６の総数が３通の場合，それぞれの帳票６に印字される帳票番号は,「000001#-1/3」,「000001#-2/3」および「000001#-3/3」になる。なお，通数連番に続く「＃」は，通数連番を示す記号である。
【００２２】
光学式読取装置３と接続している計量装置４は，計量対象物（ここでは，帳票６を封入した封筒６ａ）の重量を測定し，計量対象物の重量をパーソナルコンピュータに出力できる装置で，このような装置としては，市販の電子天秤を利用できる。
【００２３】
データ記憶装置５は，具体的には，イントラネット７を介して帳票検査装置２と接続しているサーバである。データ記憶装置５は，データベース（Database）として，検査履歴ＤＢ５０（Database）と重量ＤＢ５１を備える。データ記憶装置５の検査履歴ＤＢ５０は，帳票検査装置２が帳票６の検査履歴を記憶するＤＢである。また，データ記憶装置５の重量ＤＢ５１は，帳票６に印字する帳票番号の通数連番に関連付けて，帳票６を封入した封筒６ａの重量の期待値を予め登録するＤＢである。特許文献２では，封筒の単位当たりの重量と，帳票６の単位当たりの重量をパーソナルコンピュータに記憶させているが，封筒に封入する帳票６は予めわかるため，本実施形態では，帳票６を封入した封筒６ａの重量の期待値を予め算出して重量ＤＢ５１に登録している。
【００２４】
本実施形態に係る帳票検査装置２は，プロセッサやメモリを有するパーソナルコンピュータを利用して実現される装置で，コンピュータプログラムによって実現される機能として，画像に含まれる文字を文字認識する文字認識部２１と，封筒に封入する帳票６を検査する帳票検査部２０を備える。
【００２５】
帳票検査装置２が備える文字認識部２１は，市販のＯＣＲソフトウェアを利用して実現される機能である。光学式読取装置３は光学式認識コードにしか対応していないのに対し，市販のＯＣＲソフトウェアは，バーコードやＯＣＲ文字などの光学式認識コードに加え，様々なフォントや手書き文字に対応している。
【００２６】
ここから，図４を参照しながら，帳票検査装置２の帳票検査部２０の動作について説明する。帳票検査装置２の帳票検査部２０は，帳票６の検査を開始する操作が行われると，帳票６の検査を行う業務を選択させた後，帳票６の検査を封筒単位で実施する。
【００２７】
帳票６の検査を封筒単位で実施する際，帳票検査装置２の帳票検査部２０は，同じ封筒に封入する帳票６の通数連番を取得する処理を実施する。図５（ａ）は，同じ封筒に封入する帳票６の通数連番を取得する画面８ａである。帳票検査装置２の帳票検査部２０は，封筒に封入する帳票６の通数連番を取得する際，封筒に封入する帳票６の通数連番を入力するダイアログ８ｃを表示し，帳票６を検査するユーザに，封筒に封入する帳票６の通数連番を入力させる。
【００２８】
同じ封筒に封入する帳票６の通数連番を取得した後，図５の撮影ボタン８ｄが選択された後，光学式読取装置３の画像撮影部３１の撮影範囲は帳票番号を含むようにユーザによって設定され，帳票番号を撮影する操作が光学式読取装置３でなされ，光学式読取装置３から帳票番号の画像が出力されると（Ｓ２），帳票検査装置２の帳票検査部２０は，光学式読取装置３から出力された帳票番号の画像をメモリに保持する処理を実行する（Ｓ３）。
【００２９】
次に，帳票検査装置２の帳票検査部２０は，同じ封筒に封入する全ての帳票６について帳票番号の撮影が完了したことが示されたか確認する（Ｓ４）。本実施形態では，図５の撮影完了ボタン８ｅが選択されたか否かで，同じ封筒に封入する全ての帳票６について帳票番号の撮影が完了したことが示されたか確認される。同じ封筒に封入する全ての帳票６について帳票番号の撮影が完了していない場合は，図４のＳ２に戻り，同じ封筒に封入する全ての帳票６について帳票番号の撮影が完了している場合は，図４のＳ５に進む。
【００３０】
図５（ｂ）は，同じ封筒に封入する全ての帳票６について帳票番号の撮影が完了した時の画面８ｂである。図５（ｂ）の画面８ｂには，今回，光学式読取装置３から出力された画像８ｆと，今回も含め，これまでに光学式読取装置３から出力された画像の一覧８ｇが表示されている。
【００３１】
同じ封筒に封入する全ての帳票６について帳票番号の撮影が完了すると，帳票検査装置２の帳票検査部２０は，メモリに保持している帳票番号の画像全てを文字認識部２１に文字認識させ，帳票番号のフォーマットを利用して，帳票番号の画像毎に帳票番号を取得する（Ｓ５）。
【００３２】
次に，帳票検査装置２の帳票検査部２０は，帳票６の検査として，照合検査を実施する（Ｓ６）。帳票６の照合検査は，同じ封筒に封入する帳票６の中に，他の封筒に封入する帳票６が混入していないか確認する検査である。具体的に，帳票検査装置２の帳票検査部２０は，同じ封筒に封入する帳票６から撮影された帳票番号の画像から文字認識された帳票番号の通数連番が全て一致するか確認することで照合検査を行う。
【００３３】
次に，帳票検査装置２の帳票検査部２０は，帳票６の重量検査を行う（Ｓ７）。帳票６の重量検査は，封筒に封入した帳票６の過不足を確認する検査である。具体的に，帳票検査装置２の帳票検査部２０は，帳票６の重量検査において，帳票６を封入した封筒６ａの重量の計測をユーザに指示し，帳票６を検査するユーザが，計量装置４を操作して，帳票６を封入した封筒６ａの重量を計測すると，帳票６を封入した封筒６ａの重量の測定値が計量装置４から帳票検査装置２に送信され，帳票検査装置２の帳票検査部２０は，帳票６を封入した封筒６ａの重量の測定値を取得する。また，帳票検査装置２の帳票検査部２０は，帳票番号の画像を文字認識することで得られた通数連番に関連付けられている封筒６ａの重量の期待値を重量ＤＢ５１から取得し，帳票６を封入した封筒６ａの重量の測定値が，重量ＤＢ５１から取得した封筒６ａの重量の期待値と同じとみなせるか判定することで重量検査を行う。
【００３４】
次に，帳票検査装置２の帳票検査部２０は，同じ封筒に封入する帳票６の検査履歴として，照合検査と重量検査の結果を関連付けした状態で，メモリに保持している帳票番号の画像を検査履歴ＤＢ５０に記憶して，図４の手順を終了する。照合検査の結果には，照合検査の合否や文字認識で得られた帳票番号を含ませることができる。また，重量検査の結果には，重量検査の合否や封筒６ａの重量の測定値と期待値を含ませることができる。
【符号の説明】
【００３５】
１    帳票検査システム
２    帳票検査装置
２０  帳票検査部
２１  文字認識部
３    光学式読取装置
４    計量装置
５    データ記憶装置
５０  検査履歴ＤＢ
５１  重量ＤＢ
６    帳票
【図１】
2016004365.tif 000003
【図２】
2016004365.tif 000004
【図３】
2016004365.tif 000005
【図４】
2016004365.tif 000006
【図５】
2016004365.tif 000007